【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
水晶音叉基部と前記水晶音叉基部に接続された少なくとも第１水晶音叉腕と第２水晶音叉腕を備えて構成される音叉型屈曲水晶振動子で、
前記第１水晶音叉腕と前記第２水晶音叉腕の各々は、第１主面とその第１主面に対抗する第２主面と、内側側面とその内側側面に対抗する外側側面とを有し、前記第１水晶音叉腕の内側側面は前記第２水晶音叉腕の内側側面に対向していて、
前記第１水晶音叉腕と前記第２水晶音叉腕の各水晶音叉腕の内側側面に電極が配置され、前記第１水晶音叉腕の内側側面に配置された電極の電気的極性と前記第２水晶音叉腕の内側側面に配置された電極の電気的極性が異なるように各電極が配置され、
前記第１水晶音叉腕と前記第２水晶音叉腕の各々の第１主面と第２主面の少なくとも一面に、部分幅が溝幅より小さくなるように、四角形と異なる多角形の溝が形成され、前記溝は水晶音叉腕の長さ方向に延在する第１側面と、水晶音叉腕の長さ方向に延在する第２側面と、第１側面と第２側面の各側面の延在する方向と異なる方向にある第３側面とを備え、第１側面は第３側面を介して第２側面に接続され、第１側面と第２側面の各々は内側側面に対抗して形成され、かつ、第３側面に直接に接続され、第１側面と内側側面の間の距離が第１部分幅で与えられ、第２側面と内側側面の間の距離が第１部分幅と異なる第２部分幅で与えられるとき、溝幅より小さい前記部分幅は第１部分幅と第２部分幅とを備えていて、
前記音叉型屈曲水晶振動子の基本波モード振動の等価直列抵抗Ｒ１が、前記音叉型屈曲水晶振動子の２次高調波モード振動の等価直列抵抗Ｒ２より小さくなるように、前記第１水晶音叉腕と前記第２水晶音叉腕の各水晶音叉腕の第１主面と第２主面の少なくとも一面に形成された前記溝の長さ寸法と、前記音叉型屈曲水晶振動子の全長の寸法が決定されていることを特徴とする水晶振動子。
【請求項２】
請求項１において、前記溝は第１側面に直接に接続された第４側面を備え、第２側面は第５側面に直接に接続され、第５側面は水晶音叉腕の長さ方向において第４側面に対向して形成されていることを特徴とする水晶振動子。
【請求項３】
請求項１または請求項２に記載の水晶振動子と、蓋とケースとを備えた水晶ユニットで、前記溝の溝幅と前記溝を備えた水晶音叉腕の腕幅との比が、０．３５から０．８５の範囲内にあり、前記音叉型屈曲水晶振動子は前記ケースの固定部に固定され、かつ、前記蓋が前記ケースに接続されていることを特徴とする水晶ユニット。
【請求項４】
請求項１または請求項２に記載の水晶振動子と、あるいは請求項３に記載の水晶ユニットと、増幅器と、コンデンサーと、抵抗素子とを備えて構成される水晶発振器で、第１電極端子を形成するために、前記第１水晶音叉腕の第１主面と第２主面の少なくとも一面に形成された前記溝の第１側面と第２側面の各側面に配置された電極は、前記第２水晶音叉腕の内側側面と外側側面の各側面に配置された電極に接続され、第２電極端子を形成するために、前記第２水晶音叉腕の第１主面と第２主面の少なくとも一面に形成された前記溝の第１側面と第２側面の各側面に配置された電極は、前記第１水晶音叉腕の内側側面と外側側面の各側面に配置された電極に接続されていて、前記第１電極端子を形成した第１電極は前記ケースの固定部に配置された第１電極に接続され、かつ、前記ケースの固定部に配置された前記第１電極は前記ケースの裏面の一端部に配置された第１電極に接続され、前記第２電極端子を形成した第２電極は前記ケースの固定部に配置された第２電極に接続され、かつ、前記ケースの固定部に配置された前記第２電極は前記ケースの裏面の他端部に配置された第２電極に接続されていて、前記ケースは貫通穴を有し、前記音叉型屈曲水晶振動子は前記ケースの固定部に導電性接着剤あるいは半田によって固定され、前記ケースの貫通穴を真空中で封止するために、低融点ガラスあるいは金属が前記ケースの貫通穴に配置されていることを特徴とする水晶発振器。
【請求項５】
請求項１または請求項２に記載の水晶振動子と、あるいは、請求項３に記載の水晶ユニットと、あるいは、請求項４に記載の水晶発振器を備えて構成されていることを特徴とする携帯機器。
【請求項６】
水晶音叉基部と前記水晶音叉基部に接続された少なくとも第１水晶音叉腕と第２水晶音叉腕を備えて構成される音叉型屈曲水晶振動子の製造方法で、
前記第１水晶音叉腕と前記第２水晶音叉腕の各々は、第１主面とその第１主面に対抗する第２主面と、内側側面とその内側側面に対抗する外側側面とを有し、前記第１水晶音叉腕の内側側面は前記第２水晶音叉腕の内側側面に対向していて、
前記第１水晶音叉腕と前記第２水晶音叉腕の各水晶音叉腕の内側側面に電極が配置され、前記第１水晶音叉腕の内側側面に配置された電極の電気的極性と前記第２水晶音叉腕の内側側面に配置された電極の電気的極性が異なるように各電極を配置する工程と、
前記第１水晶音叉腕と前記第２水晶音叉腕の各々の第１主面と第２主面の少なくとも一面に、部分幅が溝幅より小さくなるように、四角形と異なる多角形の溝を形成し、前記溝は水晶音叉腕の長さ方向に延在する第１側面と、水晶音叉腕の長さ方向に延在する第２側面と、第１側面と第２側面の各側面の延在する方向と異なる方向にある第３側面とを備え、第１側面は第３側面を介して第２側面に接続され、第１側面と第２側面の各々は内側側面に対抗して形成され、かつ、第３側面に直接に接続され、第１側面と内側側面の間の距離が第１部分幅で与えられ、第２側面と内側側面の間の距離が第１部分幅と異なる第２部分幅で与えられるとき、溝幅より小さい前記部分幅は第１部分幅と第２部分幅とを備えるように、前記溝を形成する工程と、
前記音叉型屈曲水晶振動子の基本波モード振動の等価直列抵抗Ｒ１が、前記音叉型屈曲水晶振動子の２次高調波モード振動の等価直列抵抗Ｒ２より小さくなるように、前記第１水晶音叉腕と前記第２水晶音叉腕の各水晶音叉腕の第１主面と第２主面の少なくとも一面に形成された前記溝の長さ寸法と、前記音叉型屈曲水晶振動子の全長の寸法を決定する工程と、を含むことを特徴とする水晶振動子の製造方法。
【請求項７】
請求項６において、前記溝は第１側面に直接に接続された第４側面を備え、第２側面は第５側面に直接に接続され、第５側面は水晶音叉腕の長さ方向において第４側面に対向して形成されていて、前記溝の溝幅と前記溝を備えた水晶音叉腕の腕幅との比が０．３５から０．８５の範囲内にあるように、前記溝を形成する工程を含むことを特徴とする水晶振動子の製造方法。
【請求項８】
請求項６または請求項７に記載の水晶振動子の製造方法と、前記音叉型屈曲水晶振動子をケースの固定部に固定する工程と、蓋を前記ケースに接続する工程とを含むことを特徴とする水晶ユニットの製造方法。
【手続補正２】
【補正対象書類名】明細書
【補正対象項目名】０００７
【補正方法】変更
【補正の内容】
【０００７】即ち、本発明の水晶振動子の第１の態様は、水晶音叉基部と前記水晶音叉基部に接続された少なくとも第１水晶音叉腕と第２水晶音叉腕を備えて構成される音叉型屈曲水晶振動子で、前記第１水晶音叉腕と前記第２水晶音叉腕の各々は、第１主面とその第１主面に対抗する第２主面と、内側側面とその内側側面に対抗する外側側面とを有し、前記第１水晶音叉腕の内側側面は前記第２水晶音叉腕の内側側面に対向していて、前記第１水晶音叉腕と前記第２水晶音叉腕の各水晶音叉腕の内側側面に電極が配置され、前記第１水晶音叉腕の内側側面に配置された電極の電気的極性と前記第２水晶音叉腕の内側側面に配置された電極の電気的極性が異なるように各電極が配置され、前記第１水晶音叉腕と前記第２水晶音叉腕の各々の第１主面と第２主面の少なくとも一面に、部分幅が溝幅より小さくなるように、四角形と異なる多角形の溝が形成され、前記溝は水晶音叉腕の長さ方向に延在する第１側面と、水晶音叉腕の長さ方向に延在する第２側面と、第１側面と第２側面の各側面の延在する方向と異なる方向にある第３側面とを備え、第１側面は第３側面を介して第２側面に接続され、第１側面と第２側面の各々は内側側面に対抗して形成され、かつ、第３側面に直接に接続され、第１側面と内側側面の間の距離が第１部分幅で与えられ、第２側面と内側側面の間の距離が第１部分幅と異なる第２部分幅で与えられるとき、溝幅より小さい前記部分幅は第１部分幅と第２部分幅とを備えていて、前記音叉型屈曲水晶振動子の基本波モード振動の等価直列抵抗Ｒ１が、前記音叉型屈曲水晶振動子の２次高調波モード振動の等価直列抵抗Ｒ２より小さくなるように、前記第１水晶音叉腕と前記第２水晶音叉腕の各水晶音叉腕の第１主面と第２主面の少なくとも一面に形成された前記溝の長さ寸法と、前記音叉型屈曲水晶振動子の全長の寸法が決定されている水晶振動子である。
本発明の水晶振動子の第２の態様は、第１の態様において、前記溝は第１側面に直接に接続された第４側面を備え、第２側面は第５側面に直接に接続され、第５側面は水晶音叉腕の長さ方向において第４側面に対向して形成されている水晶振動子である。
本発明の水晶ユニットの第１の態様は、第１の態様または第２の態様に記載の水晶振動子と、蓋とケースとを備えた水晶ユニットで、前記溝の溝幅と前記溝を備えた水晶音叉腕の腕幅との比が、０．３５から０．８５の範囲内にあり、前記音叉型屈曲水晶振動子は前記ケースの固定部に固定され、かつ、前記蓋が前記ケースに接続されている水晶ユニットである。
本発明の水晶発振器の第１の態様は、第１の態様または第２の態様に記載の水晶振動子と、あるいは第１の態様に記載の水晶ユニットと、増幅器と、コンデンサーと、抵抗素子とを備えて構成される水晶発振器で、第１電極端子を形成するために、前記第１水晶音叉腕の第１主面と第２主面の少なくとも一面に形成された前記溝の第１側面と第２側面の各側面に配置された電極は、前記第２水晶音叉腕の内側側面と外側側面の各側面に配置された電極に接続され、第２電極端子を形成するために、前記第２水晶音叉腕の第１主面と第２主面の少なくとも一面に形成された前記溝の第１側面と第２側面の各側面に配置された電極は、前記第１水晶音叉腕の内側側面と外側側面の各側面に配置された電極に接続されていて、前記第１電極端子を形成した第１電極は前記ケースの固定部に配置された第１電極に接続され、かつ、前記ケースの固定部に配置された前記第１電極は前記ケースの裏面の一端部に配置された第１電極に接続され、前記第２電極端子を形成した第２電極は前記ケースの固定部に配置された第２電極に接続され、かつ、前記ケースの固定部に配置された前記第２電極は前記ケースの裏面の他端部に配置された第２電極に接続されていて、前記ケースは貫通穴を有し、前記音叉型屈曲水晶振動子は前記ケースの固定部に導電性接着剤あるいは半田によって固定され、前記ケースの貫通穴を真空中で封止するために、低融点ガラスあるいは金属が前記ケースの貫通穴に配置されている水晶発振器である。
本発明の第携帯機器の１の態様は、第１の態様または第２の態様に記載の水晶振動子と、あるいは、第１の態様に記載の水晶ユニットと、あるいは、第１の態様に記載の水晶発振器を備えて構成されている携帯機器である。
【手続補正３】
【補正対象書類名】明細書
【補正対象項目名】０００８
【補正方法】変更
【補正の内容】
【０００８】本発明の水晶振動子の製造方法の第１の態様は、水晶音叉基部と前記水晶音叉基部に接続された少なくとも第１水晶音叉腕と第２水晶音叉腕を備えて構成される音叉型屈曲水晶振動子の製造方法で、前記第１水晶音叉腕と前記第２水晶音叉腕の各々は、第１主面とその第１主面に対抗する第２主面と、内側側面とその内側側面に対抗する外側側面とを有し、前記第１水晶音叉腕の内側側面は前記第２水晶音叉腕の内側側面に対向していて、前記第１水晶音叉腕と前記第２水晶音叉腕の各水晶音叉腕の内側側面に電極が配置され、前記第１水晶音叉腕の内側側面に配置された電極の電気的極性と前記第２水晶音叉腕の内側側面に配置された電極の電気的極性が異なるように各電極を配置する工程と、前記第１水晶音叉腕と前記第２水晶音叉腕の各々の第１主面と第２主面の少なくとも一面に、部分幅が溝幅より小さくなるように、四角形と異なる多角形の溝を形成し、前記溝は水晶音叉腕の長さ方向に延在する第１側面と、水晶音叉腕の長さ方向に延在する第２側面と、第１側面と第２側面の各側面の延在する方向と異なる方向にある第３側面とを備え、第１側面は第３側面を介して第２側面に接続され、第１側面と第２側面の各々は内側側面に対抗して形成され、かつ、第３側面に直接に接続され、第１側面と内側側面の間の距離が第１部分幅で与えられ、第２側面と内側側面の間の距離が第１部分幅と異なる第２部分幅で与えられるとき、溝幅より小さい前記部分幅は第１部分幅と第２部分幅とを備えるように、前記溝を形成する工程と、前記音叉型屈曲水晶振動子の基本波モード振動の等価直列抵抗Ｒ１が、前記音叉型屈曲水晶振動子の２次高調波モード振動の等価直列抵抗Ｒ２より小さくなるように、前記第１水晶音叉腕と前記第２水晶音叉腕の各水晶音叉腕の第１主面と第２主面の少なくとも一面に形成された前記溝の長さ寸法と、前記音叉型屈曲水晶振動子の全長の寸法を決定する工程と、を含む水晶振動子の製造方法である。
本発明の水晶振動子の製造方法の第２の態様は、第１の態様において、前記溝は第１側面に直接に接続された第４側面を備え、第２側面は第５側面に直接に接続され、第５側面は水晶音叉腕の長さ方向において第４側面に対向して形成されていて、前記溝の溝幅と前記溝を備えた水晶音叉腕の腕幅との比が０．３５から０．８５の範囲内にあるように、前記溝を形成する工程を含む水晶振動子の製造方法である。
本発明の水晶ユニットの製造方法の第１の態様は、第１の態様または第２の態様に記載の水晶振動子の製造方法と、前記音叉型屈曲水晶振動子をケースの固定部に固定する工程と、蓋を前記ケースに接続する工程とを含む水晶ユニットの製造方法である。
【手続補正４】
【補正対象書類名】明細書
【補正対象項目名】００１０
【補正方法】変更
【補正の内容】
【００１０】加えて、音叉腕の上下面に各々１個の溝が設けられ、設けられた溝の長さは、等価直列抵抗Ｒ１の小さな振動子を得るために、０．４から０．７の範囲内にあるので、本発明の水晶ユニットに搭載される音叉型屈曲水晶振動子は、等価直列抵抗Ｒ１が小さくなり、品質係数Ｑ値の高い超小型の音叉型屈曲水晶振動子を得ることができる。
【手続補正５】
【補正対象書類名】明細書
【補正対象項目名】００２５
【補正方法】変更
【補正の内容】
【００２５】これに対して、溝２５および溝３１の長さｌ１については、溝２５，３１が、音叉腕２２，２３から長さｌ２の音叉基部２４にまで延在し、その音叉基部２４に延在する溝の長さがｌ３となるような寸法とされている。それ故、音叉腕２２、２３に設けられた溝の長さは、ｌ０＝（ｌ１−ｌ３）で与えられ、等価直列抵抗Ｒ１の小さな振動子を得るために、０．４〜０．７の範囲内の値を有する。更に、音叉基部の歪量を大きくして、Ｒ１を小さくし、且つ、支持、固定によるエネルギー漏れのない振動子を得るには音叉基部の溝の長さｌ３と音叉基部の長さｌ２との比が０．０４〜０．７８の範囲内の値になるように溝２５，３１が構成される。なお、本実施例では、溝の長さｌ３の側面全部に電極が配置されているが、側面の電極が溝の長さｌ３より短く配置されている時には、ｌ３は電極の長さと同じ長さとする。また、音叉型屈曲水晶振動子２１の全長ｌは要求される周波数や収納容器の大きさなどから決定される。と同時に、基本波モードで振動する良好な音叉型屈曲水晶振動子を得るためには、以下で説明するように、溝の長さｌ１と全長ｌとの間には密接な関係が存在する。